(57)【特許請求の範囲】
【請求項１】
所定枚数の紙葉類を集積した集積紙葉類を施封した帯であって該集積紙葉類の集積方向端部の最端紙葉類に貼付いた貼付き部分を有する帯を集積紙葉類から除去する施封帯除去装置において、
上記集積紙葉類を取り揃えるべく集積紙葉類の互いに対向する縁部を両側から押えるとともに上記帯を該縁部に押し付けて保持する帯保持手段と、
上記貼付き部分近くの上記最端紙葉類と帯との間に隙間を形成すべく帯の近くで上記集積紙葉類のみをその集積方向に圧縮しつつ保持する隙間形成手段と、
上記隙間形成手段にて形成された上記隙間に剥離部材を挿入し、上記帯保持手段にて保持された帯の上記貼付き部分を上記最端紙葉類から剥離する剥離手段と、
上記剥離手段にて上記貼付き部分が剥離された帯を上記集積紙葉類から除去する帯除去手段と、
を備えていることを特徴とする施封帯除去装置。
【請求項２】
所定枚数の紙葉類を集積した集積紙葉類を施封した帯であって該集積紙葉類の集積方向端部の最端紙葉類の略中央に貼付いた貼付き部分を有する帯を集積紙葉類から除去する施封帯除去装置において、
上記帯で施封された集積紙葉類を所定位置へ供給する供給手段と、
上記供給手段にて所定位置に供給された上記帯で施封された集積紙葉類を取り揃えるべく該集積紙葉類の互いに対向する縁部を両側から押えるとともに該帯を該縁部に押し付けて保持する帯保持手段と、
上記貼付き部分の両側で上記最端紙葉類と帯との間に隙間を形成すべく、帯の近くで上記集積紙葉類の帯が巻回されていない部分であって貼付き部分を挟む位置を集積紙葉類の集積方向に圧縮しつつ集積紙葉類を保持する隙間形成手段と、
上記最端紙葉類を押さえ付けながら、上記隙間形成手段にて形成された上記隙間に剥離部材を挿入し、上記帯保持手段にて保持された帯の上記貼付き部分を上記最端紙葉類から剥離する剥離手段と、
上記貼付き部分が剥離された帯を切断する切断部材、および該切断部材にて切断された帯を上記集積紙葉類から除去する除去部材を有し、上記集積紙葉類から帯を切除する帯除去手段と、
を備えていることを特徴とする施封帯除去装置。
【請求項３】
所定枚数の紙葉類を集積した集積紙葉類を小帯で施封した把を所定個数集積した集積把を大帯で施封した束から大帯を除去し、各把を施封した小帯であって該紙葉類の集積方向端部の最端紙葉類に貼付いた貼付き部分を有する小帯を各把から除去する施封帯除去装置において、
上記束から上記大帯を除去する大帯除去手段と、
上記大帯除去手段にて大帯が除去された集積把を１把づつ切出す把切出し手段と、
上記把切出し手段にて切出された把を取り揃えるべく該把の互いに対向する縁部を両側から押えるとともに上記小帯を該縁部に押し付けて保持する小帯保持手段と、
上記貼付き部分近くの上記最端紙葉類と小帯との間に隙間を形成すべく小帯の近くで上記集積紙葉類のみをその集積方向に圧縮しつつ保持する隙間形成手段と、
上記隙間形成手段にて形成された上記隙間に剥離部材を挿入し、上記小帯保持手段にて保持された小帯の上記貼付き部分を上記最端紙葉類から剥離する剥離手段と、
上記剥離手段にて上記貼付き部分が剥離された小帯を上記集積紙葉類から除去する小帯除去手段と、
を備えていることを特徴とする施封帯除去装置。
【請求項４】
所定枚数の紙葉類を集積した集積紙葉類を小帯で施封した把を所定個数集積した集積把を大帯で施封した束から大帯を除去し、各把を施封した小帯であって該紙葉類の集積方向端部の最端紙葉類の略中央に貼付いた貼付き部分を有する小帯を各把から除去する施封帯除去装置において、
上記束から上記大帯を除去する大帯除去手段と、
上記大帯除去手段にて大帯が除去された集積把を１把づつ切出す把切出し手段と、
上記把切出し手段にて切出された把を所定位置へ供給する供給手段と、
上記供給手段にて所定位置に供給された把を取り揃えるべく該把の互いに対向する縁部を両側から押えるとともに上記小帯を該縁部に押し付けて保持する小帯保持手段と、
上記貼付き部分の両側で上記最端紙葉類と小帯との間に隙間を形成すべく、小帯の近くで上記集積紙葉類の小帯が巻回されていない部分であって貼付き部分を挟む位置を集積紙葉類の集積方向に圧縮しつつ集積紙葉類を保持する隙間形成手段と、
上記最端紙葉類を押さえ付けながら、上記隙間形成手段にて形成された上記隙間に剥離部材を挿入し、上記小帯保持手段にて保持された小帯の上記貼付き部分を上記最端紙葉類から剥離する剥離手段と、
上記剥離手段にて上記貼付き部分が剥離された小帯を切断する切断部材、および該切断部材にて切断された小帯を除去する除去部材を有し、上記集積紙葉類から小帯を切除する小帯除去手段と、
を備えていることを特徴とする施封帯除去装置。
【請求項５】
所定枚数の紙葉類を集積するとともに帯で施封した集積紙葉類を取り揃えるべく集積紙葉類の互いに対向する縁部を両側から押えるとともに該帯を該縁部に押し付けて保持する帯保持手段と、
上記帯が上記集積紙葉類の集積方向端部の最端紙葉類に貼付いた貼付き部分近くの該最端紙葉類と帯との間に隙間を形成すべく帯の近くで上記集積紙葉類のみをその集積方向に圧縮しつつ保持する隙間形成手段と、
上記隙間形成手段にて形成された上記隙間に剥離部材を挿入し、上記帯保持手段にて保持された帯の上記貼付き部分を上記最端紙葉類から剥離する剥離手段と、
上記剥離手段にて上記貼付き部分が剥離された帯を上記集積紙葉類から除去する帯除去手段と、
を備えていることを特徴とする施封帯除去装置。
【請求項６】
上記剥離部材は可撓性を有する板状に形成され、該剥離部材の先端には、その挿入方向および厚さ方向のそれぞれに対して傾斜した傾斜部が形成されていることを特徴とする請求項１乃至５に記載の施封帯除去装置。
【請求項７】
所定枚数の紙葉類を集積した集積紙葉類を施封した帯であって該集積紙葉類の集積方向端部の最端紙葉類に貼付いた貼付き部分を有する帯を集積紙葉類から除去する施封帯除去方法において、
上記集積紙葉類を取り揃えるべく集積紙葉類の互いに対向する縁部を両側から押えるとともに上記帯を該縁部に押し付けて保持し、
上記貼付き部分近くの上記最端紙葉類と帯との間に隙間を形成すべく帯の近くで上記集積紙葉類のみをその集積方向に圧縮しつつ保持し、
上記集積紙葉類の圧縮により上記最端紙葉類と帯との間に形成された上記隙間に剥離部材を挿入し、上記貼付き部分を最端紙葉類から剥離し、
上記貼付き部分が剥離された帯を上記集積紙葉類から除去することを特徴とする施封帯除去方法。
【請求項８】
所定枚数の紙葉類を集積した集積紙葉類を施封した帯であって該集積紙葉類の集積方向端部の最端紙葉類の略中央に貼付いた貼付き部分を有する帯を集積紙葉類から除去する施封帯除去方法において、
上記帯で施封された集積紙葉類を所定位置へ供給し、
上記所定位置に供給された上記帯で施封された集積紙葉類を取り揃えるべく該集積紙葉類の互いに対向する縁部を両側から押えるとともに該帯を該縁部に押し付けて保持し、
上記貼付き部分の両側で上記最端紙葉類と帯との間に隙間を形成すべく、帯の近くで上記集積紙葉類の帯が巻回されていない部分であって貼付き部分を挟む位置を集積紙葉類の集積方向に圧縮しつつ集積紙葉類を保持し、
上記最端紙葉類を押さえ付けながら、上記集積紙葉類の圧縮により最端紙葉類と帯との間に形成された上記隙間に剥離部材を挿入し、上記貼付き部分を最端紙葉類から剥離し、
上記貼付き部分が剥離された帯を切断し、切断された帯を上記集積紙葉類から除去することを特徴とする施封帯除去方法。
【発明の詳細な説明】
【０００１】
【発明の属する技術分野】
この発明は、複数枚の紙葉類を集積して帯により施封した束から該帯を除去する施封帯除去装置に関する。
【０００２】
【従来の技術】
従来、施封帯除去装置として、所定枚数の紙葉類を小帯で施封した把を所定個数集積して大帯で施封した束から大帯を除去する装置、或いは大帯を除去した後の各把から小帯を除去する装置が知られている。各施封帯除去装置は、帯を切断するためのカッター、および切断された帯を保持して除去する帯除去機構を有している。
例えば、施封帯除去装置にて小帯を除去する場合、まずカッターにて帯を切断し、切断した帯を保持して紙葉類から分離している。
【０００３】
【発明が解決しようとする課題】
一般に、所定枚数の紙葉類を施封して把を形成する場合、小帯を紙葉類に巻回してその両端部を接着剤により貼り合せる。或いは、巻回した小帯の両端部をヒートシールにより溶着する。
【０００４】
小帯の両端部を接着剤にて貼り合せる場合、接着剤の一部が小帯からはみ出して小帯と紙葉類とを接着してしまう場合がある。また、ヒートシールにより小帯の端部を溶着する場合、接着剤のはみ出しによる紙葉類の接着を防止できる反面、ヒートシール端部の貼り合せ位置にずれを生じ小帯と紙葉類とを接着してしまう場合がある。
【０００５】
このように、小帯と紙葉類とが接着された状態で、小帯を切断して除去すると、小帯とともに紙葉類をも除去（伴送）してしまう虞がある。また、小帯を除去する際に小帯に接着された紙葉類を破損する虞がある。
【０００６】
小帯の除去により紙葉類を伴送してしまうと、紙葉類を紛失する可能性がある。また、紙葉類が破損されると、装置を一旦停止して破損した紙葉類を取出す必要があり、装置の稼働率を低下する問題がある。
【０００７】
この発明は、以上の点に鑑みなされたもので、その目的は、紙葉類を施封した施封帯を除去する際に、紙葉類を伴送することなく施封帯のみを確実に除去できる施封帯除去装置を提供することにある。
【０００９】
【課題を解決するための手段】
上記目的を達成するため、この発明に係る施封帯除去装置は、所定枚数の紙葉類を集積した集積紙葉類を施封した帯であって該集積紙葉類の集積方向端部の最端紙葉類に貼付いた貼付き部分を有する帯を集積紙葉類から除去する施封帯除去装置において、上記集積紙葉類を取り揃えるべく集積紙葉類の互いに対向する縁部を両側から押えるとともに上記帯を該縁部に押し付けて保持する帯保持手段と、上記貼付き部分近くの上記最端紙葉類と帯との間に隙間を形成すべく帯の近くで上記集積紙葉類のみをその集積方向に圧縮しつつ保持する隙間形成手段と、上記隙間形成手段にて形成された上記隙間に剥離部材を挿入し、上記帯保持手段にて保持された帯の上記貼付き部分を上記最端紙葉類から剥離する剥離手段と、上記剥離手段にて上記貼付き部分が剥離された帯を上記集積紙葉類から除去する帯除去手段と、を備えている。
【００１０】
また、この発明の施封帯除去装置は、所定枚数の紙葉類を集積した集積紙葉類を施封した帯であって該集積紙葉類の集積方向端部の最端紙葉類の略中央に貼付いた貼付き部分を有する帯を集積紙葉類から除去する施封帯除去装置において、上記帯で施封された集積紙葉類を所定位置へ供給する供給手段と、上記供給手段にて所定位置に供給された上記帯で施封された集積紙葉類を取り揃えるべく該集積紙葉類の互いに対向する縁部を両側から押えるとともに該帯を該縁部に押し付けて保持する帯保持手段と、上記貼付き部分の両側で上記最端紙葉類と帯との間に隙間を形成すべく、帯の近くで上記集積紙葉類の帯が巻回されていない部分であって貼付き部分を挟む位置を集積紙葉類の集積方向に圧縮しつつ集積紙葉類を保持する隙間形成手段と、上記最端紙葉類を押さえ付けながら、上記隙間形成手段にて形成された上記隙間に剥離部材を挿入し、上記帯保持手段にて保持された帯の上記貼付き部分を上記最端紙葉類から剥離する剥離手段と、上記貼付き部分が剥離された帯を切断する切断部材、および該切断部材にて切断された帯を上記集積紙葉類から除去する除去部材を有し、上記集積紙葉類から帯を切除する帯除去手段と、を備えている。
【００１２】
また、この発明の施封帯除去装置は、所定枚数の紙葉類を集積した集積紙葉類を小帯で施封した把を所定個数集積した集積把を大帯で施封した束から大帯を除去し、各把を施封した小帯であって該紙葉類の集積方向端部の最端紙葉類に貼付いた貼付き部分を有する小帯を各把から除去する施封帯除去装置において、上記束から上記大帯を除去する大帯除去手段と、上記大帯除去手段にて大帯が除去された集積把を１把づつ切出す把切出し手段と、上記把切出し手段にて切出された把を取り揃えるべく該把の互いに対向する縁部を両側から押えるとともに上記小帯を該縁部に押し付けて保持する小帯保持手段と、上記貼付き部分近くの上記最端紙葉類と小帯との間に隙間を形成すべく小帯の近くで上記集積紙葉類のみをその集積方向に圧縮しつつ保持する隙間形成手段と、上記隙間形成手段にて形成された上記隙間に剥離部材を挿入し、上記小帯保持手段にて保持された小帯の上記貼付き部分を上記最端紙葉類から剥離する剥離手段と、上記剥離手段にて上記貼付き部分が剥離された小帯を上記集積紙葉類から除去する小帯除去手段と、を備えている。
【００１３】
また、この発明の施封帯除去装置は、所定枚数の紙葉類を集積した集積紙葉類を小帯で施封した把を所定個数集積した集積把を大帯で施封した束から大帯を除去し、各把を施封した小帯であって該紙葉類の集積方向端部の最端紙葉類の略中央に貼付いた貼付き部分を有する小帯を各把から除去する施封帯除去装置において、上記束から上記大帯を除去する大帯除去手段と、上記大帯除去手段にて大帯が除去された集積把を１把づつ切出す把切出し手段と、上記把切出し手段にて切出された把を所定位置へ供給する供給手段と、上記供給手段にて所定位置に供給された把を取り揃えるべく該把の互いに対向する縁部を両側から押えるとともに上記小帯を該縁部に押し付けて保持する小帯保持手段と、上記貼付き部分の両側で上記最端紙葉類と小帯との間に隙間を形成すべく、小帯の近くで上記集積紙葉類の小帯が巻回されていない部分であって貼付き部分を挟む位置を集積紙葉類の集積方向に圧縮しつつ集積紙葉類を保持する隙間形成手段と、上記最端紙葉類を押さえ付けながら、上記隙間形成手段にて形成された上記隙間に剥離部材を挿入し、上記小帯保持手段にて保持された小帯の上記貼付き部分を上記最端紙葉類から剥離する剥離手段と、上記剥離手段にて上記貼付き部分が剥離された小帯を切断する切断部材、および該切断部材にて切断された小帯を除去する除去部材を有し、上記集積紙葉類から小帯を切除する小帯除去手段と、を備えている。
【００１４】
また、この発明の施封帯除去装置は、所定枚数の紙葉類を集積するとともに帯で施封した集積紙葉類を取り揃えるべく集積紙葉類の互いに対向する縁部を両側から押えるとともに該帯を該縁部に押し付けて保持する帯保持手段と、上記帯が上記集積紙葉類の集積方向端部の最端紙葉類に貼付いた貼付き部分近くの該最端紙葉類と帯との間に隙間を形成すべく帯の近くで上記集積紙葉類のみをその集積方向に圧縮しつつ保持する隙間形成手段と、上記隙間形成手段にて形成された上記隙間に剥離部材を挿入し、上記帯保持手段にて保持された帯の上記貼付き部分を上記最端紙葉類から剥離する剥離手段と、上記剥離手段にて上記貼付き部分が剥離された帯を上記集積紙葉類から除去する帯除去手段と、を備えている。
【００１５】
また、この発明によれば、所定枚数の紙葉類を集積した集積紙葉類を施封した帯であって該集積紙葉類の集積方向端部の最端紙葉類に貼付いた貼付き部分を有する帯を集積紙葉類から除去する施封帯除去方法において、上記集積紙葉類を取り揃えるべく集積紙葉類の互いに対向する縁部を両側から押えるとともに上記帯を該縁部に押し付けて保持し、上記貼付き部分近くの上記最端紙葉類と帯との間に隙間を形成すべく帯の近くで上記集積紙葉類のみをその集積方向に圧縮しつつ保持し、上記集積紙葉類の圧縮により上記最端紙葉類と帯との間に形成された上記隙間に剥離部材を挿入し、上記貼付き部分を最端紙葉類から剥離し、上記貼付き部分が剥離された帯を上記集積紙葉類から除去する。
【００１６】
また、この発明によれば、所定枚数の紙葉類を集積した集積紙葉類を施封した帯であって該集積紙葉類の集積方向端部の最端紙葉類の略中央に貼付いた貼付き部分を有する帯を集積紙葉類から除去する施封帯除去方法において、上記帯で施封された集積紙葉類を所定位置へ供給し、上記所定位置に供給された上記帯で施封された集積紙葉類を取り揃えるべく該集積紙葉類の互いに対向する縁部を両側から押えるとともに該帯を該縁部に押し付けて保持し、上記貼付き部分の両側で上記最端紙葉類と帯との間に隙間を形成すべく、帯の近くで上記集積紙葉類の帯が巻回されていない部分であって貼付き部分を挟む位置を集積紙葉類の集積方向に圧縮しつつ集積紙葉類を保持し、上記最端紙葉類を押さえ付けながら、上記集積紙葉類の圧縮により最端紙葉類と帯との間に形成された上記隙間に剥離部材を挿入し、上記貼付き部分を最端紙葉類から剥離し、上記貼付き部分が剥離された帯を切断し、切断された帯を上記集積紙葉類から除去する。
【００１７】
【発明の実施の形態】
以下、図面を参照しながらこの発明の実施の形態について詳細に説明する。
図１は、この発明の施封帯除去装置として作用する紙葉類処理装置１０（以下、単に処理装置とする）の全体を概略的に示している。この処理装置１０は、紙葉類を一枚づつ検査し、その検査結果に基づいて良否を判別する紙葉類検査機に用いるものである。このような紙葉類検査機で検査される紙葉類には例えば、証券あるいは証書等が含まれ、このような紙葉類を以下の説明中では単に券とも称する。
【００１８】
一般に、このような紙葉類検査機は、紙葉類すなわち券を一枚づつ検査する検査装置（図示しない）を備えている。処理装置１０は、束Ｔの結束帯である大帯Ｋを破封処理し、更に、把ｔの施封帯である小帯ｋも破封処理した後に、紙葉類を検査装置に送込むための前処理を行うものである。そして、検査装置は、各券を一枚づつ検査し、その検査結果に基づいて、良券は再度利用に供するために返却され、不適券は廃棄処分される。
【００１９】
なお、この実施の形態では、券すなわち紙葉類を１００枚重ねたバラ積み状態の集積紙葉類を積層券ｔ′と称し、このような集積紙葉類を小帯ｋで施封した帯封紙葉類を把ｔと称し、このような帯封紙葉類すなわち把ｔを更に大帯Ｋにより例えば十字状に結束した結束紙葉類を束Ｔと称している。また、この実施の形態では、結束紙葉類すなわち束Ｔは、それぞれ１０個の把ｔを集積した集積把を大帯で施封して形成されている。
【００２０】
図１に示すように、処理装置１０は、未検査の紙葉類の束Ｔを取込む取込み部Ａと、この取込み部Ａから取込んだ束Ｔの大帯Ｋを切断除去（切除）する大帯処理部Ｂとを備え、この大帯処理部Ｂで大帯Ｋを切除された把ｔが１０個づつ、持ち変え部Ｃを介して待機部Ｄまで移送される。これらの把ｔは、更に、この待機部Ｄから切出し部Ｅに移動された後、この切出し部Ｅで１個づつ切出され、小帯検知部Ｆと小帯印字部Ｇと糊剥し部Ｈと小帯処理部Ｉとを経た後、搬送部Ｊにより、各券を上下に積層したバラ積み状態の積層券ｔ′の状態で、検査装置が配置されている次の工程に送られ、検査される。
【００２１】
この処理装置１０に送られる未検査の紙葉類は、予め多数の束Ｔとして図示しない束供給装置に搭載されており、束コンベア１２によりその積層方向に搬送され、束供給装置から取込み部Ａまで順に送られてくる。
【００２２】
未検査の紙葉類の束Ｔを取込む取込み部Ａには、束供給装置から束コンベア１２に載置されて移送されてくる束Ｔを係止して、この取込み部Ａに一時的に保持するストッパ１４と、このストッパ１４で係止された束Ｔを大帯処理部Ｂに取込む束移動部材１６と、が配置されている。束コンベア１２は、束Ｔを図中矢印Ｘ方向に沿って移動し、束移動部材１６は、ストッパ１４で係止された束Ｔを移送方向Ｘに対して側方に押圧し、束Ｔを大帯処理部Ｂまで移動する。
【００２３】
この大帯処理部Ｂには、束Ｔを積層方向に沿う両側から挟持して所定位置にセットする一対の第１挟持部材１８、１８と、この第１挟持部材１８、１８により所定位置に保持された束Ｔの大帯Ｋを切断する大帯カッタ２０、２０と、を有する大帯除去手段として作用する大帯処理装置２１が配置されている。
【００２４】
各第１挟持部材１８、１８は、上下方向および水平方向に沿って移動することができ、この実施の形態では円板状のカッタ２０、２０の周縁部により大帯Ｋを切断されて結束解除された状態の１０個の把ｔ（以下、整列把と称する）を、そのままの状態で、大帯処理部Ｂから持ち変え部Ｃに送込む。各第１挟持部材１８、１８は、紙葉類あるいは把ｔの長手方向に沿う全幅にわたって延び、それぞれの把ｔを積層方向に沿って併置整列させた整列把を確実に挟持することができる。
【００２５】
持ち変え部Ｃには、上記第１挟持部材１８、１８の挟持方向と交差する方向から、この整列把を挟持する一対の第２挟持部材２２、２２が配置されている。これらの各第２挟持部材２２、２２は、上下方向および水平方向に沿って移動することができ、紙葉類あるいは把ｔの長手方向の両端部を揃えた状態で、待機部Ｄに整列把を送込み、この後、持ち変え部Ｃに戻される。
【００２６】
また、切出し部Ｅには、上下方向に延設されて、下側の切出し部Ｅから上側の糊剥し部Ｈに把ｔを１個づつ送込むリフトコンベア２４と、待機部Ｄに配置された整列把を切出し部Ｅに移送してこの整列把をリフトコンベア２４に押圧する押圧部材２６とが配置されている。尚、これらのリフトコンベア２４および押圧部材２６は、この発明の把切出し手段として作用する。
【００２７】
この押圧部材２６は、等間隔に配置された３本の直立する棒状部材を有し、上下方向および水平方向に沿って移動することができる。この押圧部材２６は、待機部Ｄから切出し部Ｅに整列把を移送した後、整列把の側面すなわち券の表面をリフトコンベア２４の方向に向けて均等な力で押圧する。リフトコンベア２４が把ｔを１個づつ切出すと、押圧部材２６が、この把ｔの厚さ分づつリフトコンベア２４に向けて移動する。このときの押圧部材２６の移動量を検出することにより、切出される把ｔの厚さが検知される。
【００２８】
リフトコンベア２４がそれぞれの把ｔの長辺側を上下方向に配置した状態で上方に移動する中間部位すなわち切出し部Ｅと糊剥し部Ｈとの間であり且つ切出し部Ｅに対向する位置に配設された小帯検知部Ｆには、各把ｔを施封した小帯ｋの位置を検出する適宜の検知器（図示しない）が配置されており、押圧部材２６にて整列把を押圧した時点で小帯ｋの位置を検出する。この検知器で検出した小帯の位置情報が小帯印字部Ｇのプリンタ２８に送られる。プリンタ２８は、検知器からの情報に基づいて印字ヘッダを小帯ｋまで移動し、所要の情報を印字する。
【００２９】
糊剥し部Ｈには、把ｔの最上部の紙葉類（以下、最上紙葉ｐ1 と称する）と小帯ｋとの間の貼付き部分の糊剥し処理を行う後述する糊剥し装置３０が配置されている。尚、この最上紙葉ｐ1 は紙葉類の集積方向端部に位置した最端紙葉類であり、貼付き部分とは、紙葉類に巻回された小帯ｋの重ね合せられた両端部を互いに接着する際に、小帯ｋと最上紙葉ｐ1 とが不用意に接着された部分を示している。糊剥し装置３０は、再度表面部を上下に向けて配置した状態の把ｔの糊剥し処理を行う。
【００３０】
また、この糊剥し部Ｈの下流側前方に配置された小帯処理部Ｉには、糊剥し装置３０にて糊剥し処理が成された把ｔの小帯ｋを切断するとともに切断した小帯ｋを挟持して排除する後述する小帯切除装置５０が設けられている。
【００３１】
符号３３は、小帯切除装置５０にて切除された小帯ｋを収容する小帯保管箱であり、同様に、符号３４、３６は、それぞれ、大帯処理装置２１にて切除された大帯Ｋを収容する大帯保管箱および残留大帯片を収容する残留大帯片保管箱を示す。
【００３２】
そして、搬送部Ｊには、小帯処理部Ｉで小帯ｋを除去されて１００枚の券を上下方向に積層しただけの積層券ｔ′を、次の工程すなわち検査装置に送り出す図示しない搬送装置が配置されている。
【００３３】
次に、上述した糊剥し装置３０について、図２乃至図６を用いて詳細に説明する。
図２に示すように、処理装置１０は、糊剥し装置３０の後述する各構成要素３１〜４８を関連付けて取付けるための取付ベース１０ａを有している。取付ベース１０ａには、リフトコンベア２４を介して切出し部Ｅから送込まれた把ｔを載置するとともに糊剥し処理が成された後の把ｔを後段の小帯切除装置５０へ送り込むための把コンベア３１（供給手段）が取付けられている。
【００３４】
把コンベア３１の図中奥側、つまり把コンベア３１上に載置された把ｔの一方の長辺に当接する位置には、後述する整位板との間で把ｔを取り揃えるためのガイド部材３２が設けられている。ガイド部材３２は、把コンベア３１の走行方向に沿って設けられ、搬送面に対して略垂直上方に延設されている。
【００３５】
把コンベア３１の図中右端部には、把コンベア３１上に載置した把ｔの長手方向一端側（図中右側端部）を係止する一対のストッパ部材３３、３３が設けられている。ストッパ部材３３、３３は、把ｔの一端側の２つの角を係止すべく、把コンベア３１の両縁部近くに互いに離間して設けられている。
【００３６】
把コンベア３１の手前側、つまりガイド部材３２と反対側の所定位置には、後述する作動機構により作動され、帯保持手段および小帯保持手段として作用する一対の整位板３６ａ、３６ｂが設けられている。各整位板３６ａ、３６ｂは、ガイド部材３２との間で把ｔの互いに対向する縁部を挟持するとともに、把ｔの縁部をガイド部材３２に押し付けて紙葉類を取り揃えるべく作動される。その上、図中右側の一方の整位板３６ａは、把ｔの縁部に向って小帯ｋを押圧して小帯ｋを保持すべく設けられている。
【００３７】
把コンベア３１の図中左側下方には、可逆回転型のモータ３４が設けられている。モータ３４の回転駆動力は、回転軸３４ａ、プーリ３５ａ、タイミングベルト３５ｂ、プーリ３５ｃ、およびドライブローラ３１ａを介して把コンベア３１に伝達され、把コンベア３１を正逆両方向に走行できるようになっている。
【００３８】
従って、リフトコンベア２４を介して切出し部Ｅから送込まれた把ｔは、把コンベア３１上に載置されて図中右方向に僅かに搬送され、ストッパ部材３３にて一方の端部が係止されて糊剥し位置（所定位置）に整位配置され、整位板３６ａ、３６ｂによりガイド部材３２に押し付けられて取り揃えられるようになっている。
【００３９】
このように糊剥し位置に配置された把ｔの図中右側近傍には、把ｔの一方の端部であって小帯ｋが巻回されていない領域の貼付き部分を挟む位置を上方から紙葉類の集積方向に押さえ付けて圧縮し紙葉類のみを保持する隙間形成手段として作用する一対のアーム部材３７、３７が設けられている。各アーム部材３７、３７は、後述する作動機構により、回転軸３７ａを中心に把ｔに向って回動可能に設けられている。尚、このアーム部材３７、３７は、把ｔを圧縮しつつ挟持して、把ｔを糊剥し位置に保持するとともに、貼付き部分の両側で最上紙葉ｐ1 と小帯ｋとの間に所定の隙間を形成すべく作用する。
【００４０】
また、糊剥し位置に保持された把ｔの図中右側上方には、アーム部材３７の作用により形成された隙間に挿入される剥離部材として作用する糊剥しプレート３８が設けられている。糊剥しプレート３８は、可撓性を有するプラスティックから成る板状に形成され、後述する作動機構により各アーム部材３７、３７の間から該隙間に向って駆動され、図３に示すように、最上紙葉ｐ1 と小帯ｋとの間に不所望に形成された貼付き部分を剥離する剥離手段として作用される。
【００４１】
尚、上述した整位板３６ａ、３６ｂ、アーム部材３７、３７、および糊剥しプレート３８は、同一の作動機構４０により同期して作動されるようになっている。
【００４２】
図４に示すように、作動機構４０は、駆動源としての駆動モータ４１を有している。モータ４１は取付ベース１０ａの裏面側の所定位置に取付けられ、その回転軸４１ａにはリンクアーム４２が取付けられている。リンクアーム４２の回動する先端にはピン４２ａが設けられ、このピン４２ａは、基端部側が取付ベース１０ａの裏面側の所定位置に回動自在に取付けられたアーム４３の略中央で長手方向に沿って形成された第１スライド孔４３ａにスライド自在に挿入されている。
【００４３】
また、取付ベース１０ａの表面側には、上述した整位板３６ａ、３６ｂ、アーム部材３７、３７、および糊剥しプレート３８を作動させるための駆動ベース４４が配置され、取付ベース１０ａ表面の所定位置には、駆動ベース４４を水平方向にスライド可能に保持するためのスライドレール４４ａが固設されている。
【００４４】
駆動ベース４４の裏面側にはピン４４ｂが突設され、ピン４４ｂは、スライドレール４４ａの上方で取付ベース１０ａに形成されたスライド孔１０ｂを介して、取付ベース１０ａの裏面側に突出している。取付ベース１０ａの裏面側に突出したピン４４ｂの先端は、アーム４３の回動する先端近くに形成された第２スライド孔４３ｂにスライド自在に嵌合されている。
【００４５】
従って、モータ４１が回転されてリンクアーム４２が図中矢印ａ方向に回転されると、ピン４２ａがアーム４３の第１スライド孔４３ａ内でスライドされ、アーム４３が図中矢印ｂ方向に揺動される。アーム４３の揺動により、第２スライド孔４３ｂ内のピン４４ｂが取付ベース１０ａのスライド孔１０ｂ内でスライドされ、駆動ベース４４がスライドレール４４ａに沿って水平方向（図中矢印ｃ方向）に移動される。
【００４６】
駆動ベース４４の前面側の図中左側下端部には、整位板３６ａ、３６ｂを作動させるためのカム４４ｃが設けられている。整位板３６ａ、３６ｂは、バネ４５ａにより図中矢印ｄ方向に付勢されているブラケット４５の一端側に固設され、ブラケット４５の他端側にはカム４４ｃと従動するカムフォロア４５ｂが突設されている。よって、駆動ベース４４が図４に実線で示す位置から矢印ｃ方向に移動されると、カム機構４４ｃ、４５ｂの作用により、整位板３６ａ、３６ｂが矢印ｄ方向に移動され、糊剥し位置に配置された把ｔをガイド部材３２との間で挟持するとともに把ｔを取り揃えるようになっている。尚、この場合、把ｔを保持する保持力は、バネ４５ａにより与えられている。
【００４７】
また、駆動ベース４４の下端部近くには、略水平方向に延びたカムガイド４４ｄが固設されている。一方、回転軸３７ａを中心に回動自在に設けられたアーム部材３７、３７の回動の先端側には、カムガイド４４ｄと共働するカムフォロア３７ｂが設けられている。よって、駆動ベース４４が矢印ｃ方向に移動されると、カム機構４４ｄ、３７ｂの作用により、アーム部材３７、３７が回動され、把ｔの端部が圧縮されて保持されるとともに最上紙葉ｐ1 と小帯ｋとの間に隙間が形成されるようになっている。
【００４８】
図５に概略的に示すように、駆動ベース４４の前面所定位置には、略垂直方向に延びたスライドレール４４ｅが固設され、このスライドレール４４ｅに隣接した位置（図中左側）にはスライドレール４４ｅと略平行に延びて駆動ベース４４を貫通したスライド孔４４ｆが形成されている。スライドレール４４ｅには略矩形板状のスライド部材４６が上下方向にスライド可能に取付けられ、スライド孔４４ｆにはスライド部材４６の裏面側から突出して設けられたボールベアリング４６ａが挿通されている。尚、駆動ベース４４のスライド孔４４ｆは、スライド部材４６の上下方向への移動を妨げることのない長さに形成されている。
【００４９】
一方、駆動ベース４４と取付ベース１０ａとの間には、略横方向に延びたカム溝４７ａを有するカム板材４７が設けられ、このカム板材４７は、カム溝４７ａ内にスライド部材４６から突出されたボールベアリング４６ａの先端がスライド可能に嵌入されるように位置決めされている。また、カム溝４７ａの形状は、駆動ベースが図中矢印ｃ方向に移動された場合に、後述する糊剥しプレート３８の先端が図中矢印ｅで示す軌跡に沿って移動するように決定されている。
【００５０】
スライド部材４６の下端には、ストッパネジ４６ｂおよびバネ４６ｃを介して、取付ブラケット４８が連結され、取付ブラケット４８の先端側には上述した糊剥しプレート３８の基端部が固定されている。また、取付ブラケット４８の基端側は、駆動ベース４４のスライドレール４４ｅにスライド可能に取付られている。ここで、ストッパネジ４６ｂは取付ブラケット４８とスライド部材４６との間隔が所定の範囲を超えないように作用し、バネ４６ｃは取付ブラケット４８をスライド部材４６から離れる方向に付勢するように作用する。これにより、定常状態において、取付ブラケット４８がストッパネジ４６ｂを支点にして僅かに回動され、糊剥しプレート３８の先端が水平面より僅かに下方に傾斜された状態となる。
【００５１】
従って、駆動ベース４４が矢印ｃ方向に移動されると、カム機構４６ａ、４７ａの作用によってスライド部材４６が同時に下降され、糊剥しプレート３８の先端が図５に矢印ｅで示す軌跡に沿って移動され、糊剥し位置に配置された把ｔの範囲ｆ、即ち小帯が巻回されていない把ｔの端部領域に着地されるようになっている。そして、駆動ベース４４が更に移動されると、範囲ｆに着地された糊剥しプレート３８の先端が把ｔの最上紙葉ｐ1 に押し付けられながら図中左方向に移動され、最上紙葉ｐ1 と小帯ｋとの間に形成されている隙間に挿入される。この場合、スライド部材４６と取付ブラケット４８との間に設けられたバネ４６ｃの作用、およびプレート自体の弾性変形により、糊剥しプレート３８の先端が最上紙葉ｐ1 の上面に弾性的に押し付けられるようになっている。
【００５２】
図６は、糊剥しプレート３８の先端が小帯ｋと最上紙葉ｐ1 との間に形成された隙間に挿入された状態を示している。尚、小帯ｋと最上紙葉ｐ1 との間には不所望の貼付き部分が形成されているものとする。例えば、小帯ｋが最上紙葉ｐ1 の略中央で接着されている場合、上述した隙間はこの貼付き部分の両側に形成される。
【００５３】
糊剥しプレート３８の先端は、隙間に挿入し易いようにその挿入方向に対して角度ｇだけ傾斜され、この傾斜部分３８ａはプレートの厚さ方向に傾斜されている。
【００５４】
このように挿入方向および厚さ方向に傾斜を有する糊剥しプレート３８の先端が小帯ｋと最上紙葉ｐ1 との間の隙間に挿入されると、この傾斜部の作用により、小帯ｋが図中矢印ｈ方向に力を受ける。これにより、小帯ｋと最上紙葉ｐ1 との間の貼付き部分が剥される。尚、本実施の形態においては、糊剥しプレート３８の厚さは約５ｍｍである。
【００５５】
次に、上述した小帯切除装置５０について図７および図８を用いて詳細に説明する。
図７に示すように、帯除去手段および小帯除去手段として作用する小帯切除装置５０は、糊剥し処理が成されて、糊剥し装置３０の把コンベア３１を介して搬送された把ｔを引き続き搬送部Ｊに向けて搬送するベルトコンベア式の把搬送機構５１を有している。また、小帯切除装置５０は、この把搬送機構５１の上流側から順に、把ｔを施封している小帯ｋを切断する切断部材としてのカッター５２、カッター５２にて切断された小帯ｋを掻き出す掻き出し部材５４、および掻き出し部材５４にて掻き出された小帯ｋを挟持しつつ把搬送機構５１の側方の所定位置へ除去する除去部材５６を有している。尚、これらカッター５２、掻き出し部材５４、および除去部材５６は、それぞれ把ｔの搬送領域に臨ませて位置決めされて配置されている。
【００５６】
更に、小帯切除装置５０は、把搬送機構５１上を搬送される把ｔを検出する発行素子及び受光素子を用いた第１乃至第３センサ６１、６２、６３を有している。第１センサ６１はカッター５２の上流側近傍に設けられ、第２センサ６２は掻き出し部材５４の上流側近傍に設けられ、第３センサ６３は除去部材５６の上流側近傍に設けられている。
【００５７】
図８に示すように、掻き出し部材５４は、掻き出し部材５４の下方に固定配置された掻き出しモータ５５と、この掻き出しモータ５５の原動軸５５ａに固着された偏心アイドラ５７と、この偏心アイドラ５７から立設したピン５７ａと、を有し、ピン５７ａを掻き出し部材５４に設けた長孔５４ａに係合させこの状態で掻き出しモータ５５を往復回転させることにより、掻き出し部材５４の掻き出し爪５４ｂを小帯ｋと紙葉類との間に侵入させ切断された小帯ｋを掻き出すようになっている。
【００５８】
図９に示すように、処理装置１０は、上述した糊剥し装置３０および小帯切除装置５０における小帯の処理動作を制御する制御部７０を有している。制御部７０には、作動機構４０を作動させるためのモータ４１、把コンベア３１を走行させるためのモータ３４、把搬送機構５１にて搬送される把ｔを検出する第１乃至第３センサ６１、６２、６３、制御部７０には、カッター５２を駆動する駆動機構７２、掻き出し部材５４を駆動するモータ５５、および除去部材５６を駆動する駆動機構７４が接続されている。
【００５９】
次に、上記のように構成された糊剥し装置３０および小帯切除装置５０における小帯の処理動作について図１０に示すフローチャートを用いて説明する。
リフトコンベア２４を介して切出し部Ｅから把コンベア３１上に把ｔが移載されると、モータ４１が付勢され、把ｔの一端がストッパ部材に当接するまで把コンベア３１が図中右側に僅かに走行され、把ｔが糊剥し位置に配置される（ステップ１）。
【００６０】
把ｔが糊剥し位置に配置されると、モータ３４が付勢されて作動機構４０が作動され、整位板３６ａ、３６ｂがガイド部材３２に向って移動され、ガイド部材３２と整位板３６ａ、３６ｂとの間で把ｔが挟持されて取り揃えられるとともに把ｔを施封した小帯ｋが一方の整位板３６ａにより保持される（ステップ２）。
【００６１】
続いて、作動機構４０の一連の動作に従って、アーム部材３７、３７が作動され、把ｔの一端近くが押さえ付けられて把ｔが保持されるとともに最上紙葉ｐ1 と小帯ｋとの間に隙間が形成される（ステップ３）。
【００６２】
更に、作動機構４０の一連の動作に従って、糊剥しプレート３８が作動され、糊剥しプレート３８の先端が所定角度で最上紙葉ｐ1 に押し付けられながら隙間に挿入され、最上紙葉ｐ1 と小帯ｋとの間に形成された貼付き部分が剥される（ステップ４）。
【００６３】
つまり、モータ４１が一回転されて駆動ベース４４が一往復されると、整位板３６ａ、３６ｂ、アーム部材３７、３７、および糊剥しプレート３８が順に作動され、最上紙葉ｐ1 と小帯ｋとの間に形成された貼付き部分が剥されるようになっている。従って、作動機構４０の動作の終りには、各部材は図４に示す初期位置に戻されるようになっている。
【００６４】
貼付き部分が剥されて各部材が初期位置に戻されると、把コンベア３１により把ｔが図中左側に搬送され、把ｔが小帯切除装置５０へ供給される（ステップ５）。
【００６５】
小帯切除装置５０に供給された把ｔは、把搬送機構５１を介して搬送され、第１センサ６１により検出される。把ｔが第１センサ６１にて検出されると、作動機構７２が作動されてカッター５２が回転され、搬送中の把ｔの小帯ｋが切断される（ステップ６）。
【００６６】
小帯ｋが切断された把ｔは、把搬送機構５１を介して更に搬送され、第２センサ６２により検出される。把ｔが第２センサ６２にて検出されると、掻き出しモータ５５が付勢されて掻き出し部材５４が回転され、掻き出し爪５４ｂが紙葉類と小帯ｋとの間に侵入され切断された小帯ｋが掻き出される（ステップ７）。
【００６７】
小帯ｋが掻き出された把ｔは、把搬送機構５１を介して更に搬送され、第３センサ６３により検出される。把ｔが第３センサ６３にて検出されると、作動機構７４が作動されて除去部材５６が作動され、掻き出された小帯ｋが挟持されて除去される（ステップ８）。
【００６８】
上述したように、小帯ｋの貼付き部分が剥されて、小帯ｋが切除された積層券ｔ´は、把搬送機構５１を介して搬送部Ｊに搬送され、小帯ｋの処理動作が終了される。
【００６９】
以上のように、本実施の形態に係る処理装置１０は、糊剥し位置に配置された把ｔを取り揃えるとともに小帯ｋを保持する整位板３６ａ、３６ｂを有することから、糊剥しプレート３８を最上紙葉ｐ1 と小帯ｋとの間に挿入した際に小帯ｋがずれることを防止できる。
【００７０】
また、処理装置１０は、把ｔを保持するとともに最上紙葉ｐ1 と小帯ｋとの間に隙間を形成するアーム部材３７、３７を有することから、把ｔの保持と同時に糊剥しプレート３８を挿入するための隙間を形成でき、糊剥しプレート３８の挿入が容易且つ確実になる。
【００７１】
更に、処理装置１０は、可撓性を有するとともにその先端に傾斜部を有する糊剥しプレート３８を有することから、糊剥しプレート３８の先端を上述した隙間に挿入する際に、弾性変形しながら最上紙葉ｐ1 を押さえ付けて隙間を広げながら挿入でき、貼付き部分を確実に剥すことができる。
【００７２】
従って、小帯切除装置５０にて小帯を切除する際に、紙葉類、特に最上紙葉ｐ1 を小帯ｋとともに伴送することがなく、小帯ｋのみを確実に除去できる。
尚、この発明は、上述した実施の形態に限定されるものではなく、この発明の範囲内で種々変形可能である。
【００７３】
【発明の効果】
以上説明したように、この発明の施封帯除去装置は、上記のような構成および作用を有しているので、施封帯を除去する際に、紙葉類を伴送することなく施封帯のみを確実に除去できる。
【図面の簡単な説明】
【図１】図１は、この発明の施封帯除去装置としての紙葉類処理装置の全体を概略的に示す図。
【図２】図２は、図１の処理装置に組込まれた糊剥し装置を示す概略図。
【図３】図３は、図２の糊剥し装置において糊剥しプレートが最上紙葉ｐ1 と小帯ｋとの間の隙間に挿入された状態を示す概略図。
【図４】図４は、図２の糊剥し装置を作動させるための作動機構を示す透視図。
【図５】図５は、図２の糊剥し装置に組込まれた駆動ベース、糊剥しプレート、およびその周辺機器を示す概略図。
【図６】図６は、図５の糊剥しプレートの挿入状態を示す概略図。
【図７】図７は、図１の処理装置に組込まれた小帯切除装置を示す概略図。
【図８】図８は、図７の小帯切除装置の要部を示す概略図。
【図９】図９は、図２の糊剥し装置および図７の小帯切除装置の処理動作を制御する制御系を示すブロック図。
【図１０】図１０は、図２の糊剥し装置および図７の小帯切除装置の処理動作を説明するためのフローチャート。
【符号の説明】
１０…処理装置、
１０ａ…取付ベース、
３０…糊剥し装置、
３１…把コンベア、
３６ａ、３６ｂ…整位板、
３７…アーム部材、
３８…糊剥しプレート、
４０…作動機構、
４４…駆動ベース、
ｋ…小帯、
ｐ1 …最上紙葉、
ｔ…把。
【図１】
0003682116.tif 000002
【図２】
0003682116.tif 000003
【図３】
0003682116.tif 000004
【図４】
0003682116.tif 000005
【図５】
0003682116.tif 000006
【図６】
0003682116.tif 000007
【図７】
0003682116.tif 000008
【図８】
0003682116.tif 000009
【図９】
0003682116.tif 000010
【図１０】
0003682116.tif 000011